(57)【要約】【課題】発光管の適切な温度制御を可能とするランプユニットを提供すること。【解決手段】ランプユニット２は、光を射出する発光部を備える発光管１１と、発光部の周囲のうちの一部を覆い、発光部から射出した光を反射させる副反射鏡１３と、発光部から射出した光と、副反射鏡で反射した光とを反射させる主反射鏡１２と、内部に空気を通過させて副反射鏡と発光部との間の空気を流動させるために副反射鏡に接続されたノズル１４と、を有することを特徴とする。【選択図】図１
2010177157.tif 000002
【特許請求の範囲】
【請求項１】
光を射出する発光部を備える発光管と、
前記発光部の周囲のうちの一部を覆い、前記発光部から射出した光を反射させる副反射鏡と、
前記発光部から射出した光と、前記副反射鏡で反射した光とを反射させる主反射鏡と、
内部に空気を通過させて前記副反射鏡と前記発光部との間の空気を流動させるために前記副反射鏡に接続されたノズルと、を有することを特徴とするランプユニット。
【請求項２】
前記副反射鏡には開口が形成され、
前記開口に前記ノズルの接続端が接続されていることを特徴とする請求項１に記載のランプユニット。
【請求項３】
前記主反射鏡は、中心軸を中心として所定の曲線を回転させることにより得られる回転曲面を、所定の面で切断することにより得られる曲面と略同じ形状をなし、
前記副反射鏡は、前記発光部に対して、前記主反射鏡が設けられた側とは反対側を覆うことを特徴とする請求項１または２に記載のランプユニット。
【請求項４】
前記ノズルは、前記副反射鏡に対して被照射面側の反対側から接続されていることを特徴とする請求項３に記載のランプユニット。
【請求項５】
前記主反射鏡は、中心軸を中心として所定の曲線を回転させることにより得られる回転曲面と略同じ形状をなし、
前記副反射鏡は、前記発光部に対して被照射面側を覆うことを特徴とする請求項１または２に記載のランプユニット。
【請求項６】
前記ランプユニットは、プロジェクターに着脱可能とされ、
前記ノズルのうち前記副反射鏡への接続端の反対側である開放端側は、前記プロジェクターに対する前記ランプユニットの着脱方向と略平行とされていることを特徴とする請求項１〜５のいずれか１つに記載のランプユニット。
【請求項７】
請求項１〜６のいずれか一つに記載のランプユニットと、
前記ランプユニットから射出した光を画像信号に応じて変調する空間光変調装置と、
前記ノズルの開放端を連結するための連結部と、
前記発光部と前記副反射鏡との間に対して前記ノズルを介して空気の噴出または吸込を行う送風手段と、を有することを特徴とするプロジェクター。
【請求項８】
前記連結部への前記開放端の連結方向は、前記ランプユニットの着脱方向と略平行とされていることを特徴とする請求項７に記載のプロジェクター。
【発明の詳細な説明】
【技術分野】
【０００１】
本発明は、ランプユニットおよびプロジェクター、特に、リフレクターを有するランプユニットの技術に関する。
【背景技術】
【０００２】
プロジェクターの光源として使用されるランプ、例えば超高圧水銀ランプ等の放電ランプには、発光管から射出した光を反射させるリフレクター（反射鏡）が用いられている。プロジェクターにより効率良く明るい画像を得るために、従来、発光管から射出した光の利用効率を高めるためのランプユニットの構成が提案されている。例えば、主反射鏡であるリフレクターとは別に、発光管の発光部近傍に副反射鏡を設ける技術が提案されている（例えば、特許文献１及び２参照）。副反射鏡で反射した光は、発光管を通過した後、主反射鏡にて前側へ向けて反射する。これにより、ランプユニットからの光を利用する光学系へ、発光管から射出した光を効率良く進行させることが可能となる。
【０００３】
【特許文献１】特開２００１−１０９０６８号公報
【特許文献２】特開２００８−２４３６４０号公報
【発明の開示】
【発明が解決しようとする課題】
【０００４】
プロジェクターに用いられるランプは、供給された電気エネルギーの多くが熱となり高温となることから、冷却風などによる冷却が必要となる。副反射鏡を備える構成の場合、発光部表面のうち副反射鏡により覆われる部分について、冷却が困難となる。この場合、発光部表面のうち副反射鏡により覆われる部分と、それ以外の部分とで異なる放熱性を示すこととなるため、発光管の適切な温度制御が困難になるという問題を生じる。発光管のうち冷却が不十分な部分は、発光管を構成する透明部材が熱により結晶化し、白濁する場合が生じ得る。本発明は、上述の問題に鑑みてなされたものであり、発光管の適切な温度制御を可能とするランプユニット、およびそのランプユニットを有するプロジェクターを提供することを目的とする。
【課題を解決するための手段】
【０００５】
上述した課題を解決し、目的を達成するために、本発明に係るランプユニットは、光を射出する発光部を備える発光管と、発光部の周囲のうちの一部を覆い、発光部から射出した光を反射させる副反射鏡と、発光部から射出した光と、副反射鏡で反射した光とを反射させる主反射鏡と、内部に空気を通過させて副反射鏡と発光部との間の空気を流動させるために副反射鏡に接続されたノズルと、を有することを特徴とする。
【０００６】
副反射鏡にノズルが接続され、副反射鏡と発光部との間の空気を流動させることができるので、発光部を十分に冷却させることができる。また、ノズルの内部を通過させる空気の量を変化させれば、発光管の冷却量を制御することができる。これにより、発光管の適切な温度制御を可能とするランプユニットを得られる。発光管の適切な温度制御により、発光管の劣化を低減できる。
【０００７】
また、本発明の好ましい態様としては、副反射鏡には開口が形成され、開口にノズルの接続端が接続されていることが望ましい。副反射鏡に形成された開口を通じて、副反射鏡と発光部との間に空気を送り込んで、発光管の適切な温度制御が可能となる。
【０００８】
また、本発明の好ましい態様としては、主反射鏡は、中心軸を中心として所定の曲線を回転させることにより得られる回転曲面を、所定の平面で切断することにより得られる曲面と略同じ形状をなし、副反射鏡は、発光部に対して、主反射鏡が設けられた側とは反対側を覆うことが望ましい。これにより、薄型で、効率良く光を射出可能なランプユニットを得られる。また、副反射鏡が発光部の上側を覆う状態で使用される場合と、下側を覆う状態で使用される場合とがあっても、ノズルの内部を通過させる空気の量を変化させて、発光管の冷却量を制御することで、使用状態に合わせた冷却を行うことができる。特に、副反射鏡が発光部の上側を覆う状態で使用される場合には、発光部で発生した熱が、副反射鏡と発光部との間にこもってしまい、発光管を十分に冷却することが難しかった。本件では、副反射鏡が発光部の上側を覆う状態で使用される場合であっても、ノズルの内部を通過させる空気の量を増やすことで、発光管を十分に冷却することができる。これにより、使用状態の違いによる温度差を小さくすることができる。
【０００９】
また、本発明の好ましい態様としては、ノズルは、副反射鏡に対して被照射面側の反対側から接続されていることが望ましい。副反射鏡の反射面のうち、ノズルが接続される部分では光が反射されず、光の利用効率が低下してしまう場合がある。ノズルを被照射面側の反対側から接続した場合の、ノズルが接続される部分（開口が形成される部分）で反射する光は、主反射鏡に入射しない場合がある。このような場合に、副反射鏡に被照射面側の反対側からノズルを接続すれば、ノズルの接続による光の利用効率の低下を抑制することができる。
【００１０】
また、本発明の好ましい態様としては、主反射鏡は、中心軸を中心として所定の曲線を回転させることにより得られる回転曲面と略同じ形状をなし、副反射鏡は、発光部に対して被照射面側を覆うことが望ましい。これにより、効率良く光を射出可能なランプユニットを得られる。
【００１１】
また、本発明の好ましい態様としては、ランプユニットは、プロジェクターに着脱可能とされ、ノズルのうち副反射鏡への接続端の反対側である開放端側は、プロジェクターに対するランプユニットの着脱方向と略平行とされていることが望ましい。開放端側が、ランプユニットの着脱方向と略平行とされているので、ノズルがランプユニットの着脱の際に邪魔になりにくく、ランプユニットの円滑な着脱が可能となる。
【００１２】
さらに、本発明に係るプロジェクターは、上記ランプユニットと、ランプユニットから射出した光を画像信号に応じて変調する空間光変調装置と、ノズルの開放端を連結するための連結部と、発光部と副反射鏡との間に対してノズルを介して空気の噴出または吸込を行う送風手段と、を有することを特徴とする。ランプユニットが備えるノズルを介して空気の噴出または吸込を行う送風手段を有しているので、発光管の適切な温度制御を可能とするプロジェクターを得ることができる。また、プロジェクターは、正立状態で使用される場合と、正立状態から天地を逆にした倒立状態で使用される場合がある。副反射鏡を備えるランプユニットを用いた場合には、プロジェクターの姿勢の変化によって、ランプユニットの使用状態にも変化が生じる。例えば、プロジェクターの正立状態では、副反射鏡が発光部の下側を覆っている場合がある。この場合、プロジェクターが倒立状態で使用されると、副反射鏡が発光部の上側を覆うことになる。副反射鏡が発光部の上側を覆うと、発光管の温度が高くなりやすい。本件のプロジェクターは、発光部と副反射鏡との間に対してノズルを介して空気の噴出または吸込を行う送風手段を有しているので、プロジェクターが倒立状態で使用される場合であっても、送風量を増やして発光管を十分に冷却させることができる。つまり、プロジェクターの使用状態に応じて、発光管の適切な温度制御を可能とするプロジェクターを得ることができる。
【００１３】
また、本発明の好ましい態様としては、連結部への開放端の連結方向は、ランプユニットの着脱方向と略平行とされていることが望ましい。連結部への開放端の連結方向が、ランプユニットの着脱方向と略平行とされているので、ノズルがランプユニットの着脱の際に邪魔になりにくく、ランプユニットの円滑な着脱が可能となる。
【発明を実施するための最良の形態】
【００１４】
以下に図面を参照して、本発明の実施例を詳細に説明する。
【実施例１】
【００１５】
図１は、本発明の実施例１に係るプロジェクター１の概略構成を示す。プロジェクター１は、不図示のスクリーンへ光を投写し、スクリーンで反射する光を観察することで画像を鑑賞するフロント投写型のプロジェクターである。プロジェクター１は、ランプユニット２、装置側風路４、送風ファン（送風手段）６、光学エンジン８を有して大略構成される。なお、本願の実施例の説明において、ランプユニット２から光学エンジン８に向かう軸をＺ軸とする。Ｚ軸と直交し互いに垂直に交わる軸をＸ軸及びＹ軸とする。また、各軸の矢印方向を正の方向とし、その逆方向を負の方向とする。ランプユニット２は、発光管１１、主反射鏡１２、副反射鏡１３を有して構成される。ランプユニット２は、赤色（Ｒ）光、緑色（Ｇ）光、青色（Ｂ）光を含む光を射出する。ランプユニット２は、プロジェクター１の取付部１ａに着脱可能に取り付けられる。なお、その着脱方向は矢印Ｐに示す方向となる。発光部１５に対してＺ軸に沿った正の方向側（被照射面のある側）を前側といい、負の方向側を後側という。また、発光部１５に対してＹ軸に沿った正の方向側を上側といい、負の方向側を下側という。
【００１６】
図２は、本発明の実施例１に係るランプユニット２の概略構成を示す外観斜視図である。発光管１１は、例えば、超高圧水銀ランプである。発光管１１の内部は、例えば石英部材を用いて封止されている。発光部１５は、発光管１１のうち第１封止部１６及び第２封止部１７に挟まれた球状部分であって、光を射出する。発光部１５の内部には、一対の電極が配置される放電空間が形成されている。第１封止部１６は、発光管１１のうち、前側に設けられた円筒形状の部分である。第２封止部１７は、発光管１１のうち、後側に設けられた円筒形状の部分である。
【００１７】
主反射鏡１２は、発光部１５から射出した光を反射させ、前側へ進行させる。主反射鏡１２は、中心軸ＡＸを中心として楕円を回転させることにより得られる回転楕円面を、所定の平面で切断することにより得られる曲面と略同じ形状をなしている。発光管１１は、中心軸ＡＸ上に配置されている。本実施例では、所定の平面とは、中心軸ＡＸを含む平面である。なお、所定の平面は、光の利用効率を上げるために、中心軸ＡＸを含む平面以外の面としても良い。所定の平面は、例えば、中心軸ＡＸに平行な平面や、中心軸ＡＸに対して角度を持たせた平面であっても良い。
【００１８】
発光管１１は、中心軸ＡＸ上に配置されている。主反射鏡１２は、所望の形状に成形された基材の表面に高反射性部材、例えば誘電体多層膜や金属部材を蒸着させることにより構成されている。高反射性部材は、可視領域の波長の光について高い反射率である部材を用いる。回転楕円面を切断した形状の主反射鏡１２を用いることにより、回転楕円面が切断されていない反射鏡を用いたランプユニットよりも、薄型なランプユニット２とすることができる。なお、主反射鏡１２は、回転楕円面を切断することにより得られる曲面と略同じ形状に限られない。例えば、放物線などの所定の曲線を回転させることにより得られる回転曲面を切断することにより得られる曲面と略同じ形状や、自由曲面形状などとしてもよい。
【００１９】
副反射鏡１３は、発光部１５から射出した光を発光部１５へ向けて反射させる。副反射鏡１３は、発光部１５の周囲の一部を下側から覆う。副反射鏡１３と発光部１５との間には、隙間が設けられている。副反射鏡１３は、所望の形状に成形された基材の表面に高反射性部材、例えば誘電体多層膜や金属部材を蒸着させることにより構成されている。高反射性部材は、可視領域の波長の光について高い反射率である部材を用いる。主反射鏡１２と副反射鏡１３とを設けることにより、発光部１５から射出した光を光学エンジン８へ効率良く進行させることが可能となる。
【００２０】
図３は、ランプユニット２および装置側風路４の横断面図である。図３には、プロジェクター１が正立状態で使用された場合のランプユニット２および装置側風路４の状態と、倒立状態で使用された場合のランプユニット２および装置側風路４の状態の両方を示す。発光部１５を覆う副反射鏡１３には、ノズル１４が接続されている。ノズル１４は、内部に空気が通過可能な筒状の形状を呈している。ノズル１４は、その一端である接続端１４ａ側で副反射鏡１３の下端に接続されている。ノズル１４は、接続端１４ａ側から下側に向けて延びるように形成されている。接続端１４ａの他端は開放端１４ｂとなっている。ノズル１４は、全体としてランプユニット２の着脱方向と略平行となるように形成されている。ノズル１４の開放端側１４ｂは、装置側風路４の連結口４ａと連結可能となっている。
【００２１】
副反射鏡１３のうち、ノズル１４が接続される部分には開口が形成されている。これにより、副反射鏡１３の反射面側とその反対面側との間で、ノズル１４および開口を介した空気の移動が可能とされている。
【００２２】
装置側風路４は、プロジェクター１内に配設され、内部に空気を通過可能とされている。装置側風路４は、送風ファン６によって送り込まれた空気を案内する。装置側風路４は、取付部１ａに取り付けられた状態のランプユニット２に対して、主反射鏡１２の元となる回転曲面が切断された部分に配置される。装置側風路４には、ノズル１４の開放端１４ｂと連結するための連結口４ａが形成されている。連結口４ａの開口縁には弾性部材５が配置されている。ノズル１４の開放端１４ｂが連結口４ａに挿入されて連結されると、その隙間を弾性部材５が塞ぐ。ノズル１４の連結方向は、ランプユニット２の着脱方向と略平行となっている。
【００２３】
ランプユニット２の着脱方向と、ノズル１４の連結方向が略平行とされているので、ランプユニット２を取り付けるだけで、ノズル１４の連結も行うことができる。さらに、ランプユニット２の着脱方向と略平行にノズル１４が形成されているので、ランプユニット２の取付時にノズル１４が邪魔になりにくい。これにより、ランプユニット２の取付時にノズル１４が折れてしまう等の問題を生じにくくすることができる。また、連結口４ａにノズル１４を挿入することで、ランプユニット２の位置決めを容易に行うことができる。また、装置側風路４は、主反射鏡１２の元となる回転曲面が切断されて削除された部分に配置されるので、空いたスペースを有効に活用することとなり、プロジェクター１本体の小型化に寄与することができる。
【００２４】
送風ファン６は、装置側風路４に接続されて、装置側風路４の内部に空気を送り込む。ここで、送風ファン６から送り込まれた空気の流れを説明する。送風機６から送り込まれた空気は、装置側風路４を通過して、ノズル１４の内部に流入する。ノズル１４に流入した空気は、副反射鏡１３の開口から副反射鏡１３と発光部１５との隙間に向けて噴出される。噴出された空気は、発光部１５に吹き付けられるとともに、副反射鏡１３と発光部１５との隙間を通過して、発光部１５の近傍の空気を流動させる。これにより、発光管１１を十分に冷却することができる。また、ノズル１４は、副反射鏡１３の下側に設けられているので、発光部１５から射出された光の進行を妨げにくい。図３からも分かるように、発光部１５から下側に向けて射出された光は、副反射鏡１３によって反射される。副反射鏡１３で反射された光は、さらに主反射鏡１２で反射されて前側に進行されるので、ノズル１４に進行を妨げられにくい。
【００２５】
次に光学エンジン８について説明する。凹レンズ７８は、ランプユニット２から射出した光を平行化させる。第１インテグレーターレンズ６１及び第２インテグレーターレンズ６２は、アレイ状に配列された複数のレンズ素子を有する。第１インテグレーターレンズ６１は、凹レンズ７８からの光束を複数に分割する。第１インテグレーターレンズ６１の各レンズ素子は、凹レンズ７８からの光束を第２インテグレーターレンズ６２のレンズ素子近傍にて集光させる。第２インテグレーターレンズ６２のレンズ素子は、第１インテグレーターレンズ６１のレンズ素子の像を空間光変調装置上に形成する。
【００２６】
２つのインテグレーターレンズ６１、６２を経た光は、偏光変換素子６３にて特定の振動方向の直線偏光に変換される。重畳レンズ６４は、第１インテグレーターレンズ６１の各レンズ素子の像を空間光変調装置上で重畳させる。第１インテグレーターレンズ６１、第２インテグレーターレンズ６２及び重畳レンズ６４は、ランプユニット２からの光の強度分布を空間光変調装置上にて均一化させる。重畳レンズ６４からの光は、第１ダイクロイックミラー６５に入射する。第１ダイクロイックミラー６５は、Ｒ光を反射し、Ｇ光及びＢ光を透過させる。第１ダイクロイックミラー６５へ入射したＲ光は、第１ダイクロイックミラー６５、反射ミラー６６でそれぞれ光路が折り曲げられ、Ｒ光用フィールドレンズ６７Ｒへ入射する。Ｒ光用フィールドレンズ６７Ｒは、反射ミラー６６からのＲ光を平行化し、Ｒ光用空間光変調装置６８Ｒへ入射させる。
【００２７】
Ｒ光用空間光変調装置６８Ｒは、Ｒ光を画像信号に応じて変調する空間光変調装置であって、透過型液晶表示装置である。Ｒ光用空間光変調装置６８Ｒに設けられた不図示の液晶パネルは、２つの透明基板の間に、光を画像信号に応じて変調するための液晶層を封入している。Ｒ光用空間光変調装置６８Ｒで変調されたＲ光は、色合成光学系であるクロスダイクロイックプリズム６９へ入射する。
【００２８】
第１ダイクロイックミラー６５を透過したＧ光及びＢ光は、第２ダイクロイックミラー７０へ入射する。第２ダイクロイックミラー７０は、Ｇ光を反射し、Ｂ光を透過させる。第２ダイクロイックミラー７０へ入射したＧ光は、第２ダイクロイックミラー７０で光路が折り曲げられ、Ｇ光用フィールドレンズ６７Ｇへ入射する。Ｇ光用フィールドレンズ６７Ｇは、第２ダイクロイックミラー７０からのＧ光を平行化し、Ｇ光用空間光変調装置６８Ｇへ入射させる。Ｇ光用空間光変調装置６８Ｇは、Ｇ光を画像信号に応じて変調する空間光変調装置であって、透過型液晶表示装置である。Ｇ光用空間光変調装置６８Ｇで変調されたＧ光は、クロスダイクロイックプリズム６９のうちＲ光が入射する面とは異なる面へ入射する。
【００２９】
第２ダイクロイックミラー７０を透過したＢ光は、リレーレンズ７１を透過した後、反射ミラー７２での反射により光路が折り曲げられる。反射ミラー７２からのＢ光は、さらにリレーレンズ７３を透過した後、反射ミラー７４での反射により光路が折り曲げられ、Ｂ光用フィールドレンズ６７Ｂへ入射する。Ｒ光の光路及びＧ光の光路よりもＢ光の光路が長いことから、空間光変調装置における照明倍率を他の色光と等しくするために、Ｂ光の光路には、リレーレンズ７１、７３を用いるリレー光学系が採用されている。
【００３０】
Ｂ光用フィールドレンズ６７Ｂは、反射ミラー７４からのＢ光を平行化し、Ｂ光用空間光変調装置６８Ｂへ入射させる。Ｂ光用空間光変調装置６８Ｂは、Ｂ光を画像信号に応じて変調する空間光変調装置であって、透過型液晶表示装置である。Ｂ光用空間光変調装置６８Ｂで変調されたＢ光は、クロスダイクロイックプリズム６９のうちＲ光が入射する面、Ｇ光が入射する面とは異なる面へ入射する。
【００３１】
クロスダイクロイックプリズム６９は、互いに略直交する２つのダイクロイック膜７５、７６を有する。第１ダイクロイック膜７５は、Ｒ光を反射し、Ｇ光及びＢ光を透過させる。第２ダイクロイック膜７６は、Ｂ光を反射し、Ｒ光及びＧ光を透過させる。クロスダイクロイックプリズム６９は、それぞれ異なる方向から入射したＲ光、Ｇ光及びＢ光を合成し、投写レンズ７７の方向へ射出する。投写レンズ７７は、クロスダイクロイックプリズム６９で合成された光をスクリーンの方向へ投写する。
【００３２】
プロジェクター１は、上記のランプユニット２を用いることで、発光管１１の十分な冷却を可能とし、発光管１１の劣化を低減できる。これにより、高い信頼性のプロジェクター１を得られるという効果を奏する。また、プロジェクター１が倒立状態で使用されると、副反射鏡１３が発光部１５の上側を覆い、発光管１１の温度が高くなりやすい。プロジェクター１は、発光部１５と副反射鏡１３との間に対してノズル１４を介して空気の噴出または吸込を行う送風手段６を有しているので、プロジェクター１が倒立状態で使用される場合であっても、送風量を増やして発光管１１を十分に冷却させることができる。つまり、使用状態に応じて、発光管１１の適切な温度制御を可能とするプロジェクターを得ることができる。
【００３３】
プロジェクター１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター１は、色光ごとに空間光変調装置を備える構成に限られない。プロジェクター１は、一の空間光変調装置により２つ又は３つ以上の色光を変調する構成としても良い。プロジェクター１は、空間光変調装置を用いる場合に限られない。プロジェクター１は、画像情報を持たせたスライドを用いるスライドプロジェクターであっても良い。プロジェクター１は、スクリーンの一方の面に光を供給し、スクリーンの他方の面から射出される光を観察することで画像を鑑賞する、いわゆるリアプロジェクターであっても良い。本発明に係るランプユニットは、プロジェクター１に用いるものに限られない。ランプユニットは、例えば、懐中電灯等の照明機器や、自動車のヘッドライト等に適用しても良い。
【００３４】
また、送風ファン６が空気を送り込む方向を逆方向とすることで、ノズル１４から空気を吸い込むように構成してもよい。この場合も、発光部１５近傍の空気を流動させて、発光部１５を十分に冷却させることができる。また、吸い込む空気の量を調整することで、発光管１１の冷却量を制御することができる。
【００３５】
図４は、本実施例１の変形例１に係るランプユニット２および装置側風路４の横断面図である。上述した構成と同様の部分には同一の符号を付し、重複する説明を省略する。
【００３６】
本変形例１では、ランプユニット２の着脱方向が前後方向とされる。装置側風路４の連結口４ａも後側を向けて形成されている。ノズル１４は、途中で屈曲されて、開放端１４ｂが前側を向くように形成されている。これにより、ノズル１４の開放端１４ｂ側が、ランプユニット２の着脱方向と略平行となる。したがって、ランプユニット２の着脱方向が前後方向となるプロジェクターに対しても、本発明を適用し、ランプユニット２の着脱を容易にするとともに、発光部１５に近傍の空気を流動させて、発光部１５を十分に冷却することができるようになる。
【００３７】
図５は、本実施例１の変形例２に係るランプユニット２の横断面図である。上述した構成と同様の部分には同一の符号を付し、重複する説明を省略する。
【００３８】
本変形例２では、ノズル１４は、副反射鏡１３の後側から接続される。副反射鏡１３の反射面のうち、ノズル１４が接続されて開口が形成される部分は光を反射しないため、光の利用効率が低下してしまう場合がある。しかし、本変形例２で開口が形成される部分に相当する部分で反射する光のほとんどは、主反射鏡１２の反射面に入射せず発散してしまう（矢印Ｑ参照）。したがって、副反射鏡１３の後側からノズル１４を接続させれば、開口の形成による光の利用効率の低下を抑制することができる。換言すれば、副反射鏡１３の後側からノズル１４を接続することで、光を効率よく取り出すことができるようになる。
【００３９】
図６は、本実施例１の変形例３に係るランプユニット２の横断面図である。上述した構成と同様の部分には同一の符号を付し、重複する説明を省略する。
【００４０】
本変形例３では、ノズル１４は、副反射鏡１３と別体で構成され、副反射鏡１３の開口に接続される。ノズル１４には、副反射鏡１３と異なる材料を用いてもよく、例えば、ガラスを用いてもよい。ノズル１４は、副反射鏡１３の後側から接続される。副反射鏡１３への開口の形成による光の利用効率の低下を抑制できる点については、変形例２と同様である。
【００４１】
ノズル１４は、接続端１４ａから後側に向けて、発光管１１と平行に延びるように形成されている。ノズル１４は、発光管１１と平行に延びる部分で、副反射鏡１３のうち発光管１１の第２封止部１７を覆う部分に固定されている。固定の手法としては、例えば、接着剤による接着であったり、溶着であったり、ビス止めであったりする。ノズル１４が副反射鏡１３に固定されることで、接続端１４ａだけで副反射鏡１３に接続されている場合に比べて、折れにくく丈夫なものとすることができる。なお、ノズル１４を副反射鏡１３と別体で構成することは、他の実施例および変形例にも適用可能である。
【００４２】
図７は、本実施例１の変形例４に係るランプユニット２の横断面図である。上述した構成と同様の部分には同一の符号を付し、重複する説明を省略する。
【００４３】
本変形例４では、ノズル１４は、副反射鏡１３の前側から接続される。副反射鏡１３から前側に向けて延びるノズル１４を下側に向けて屈曲させることで、ランプ１２の着脱方向が上下方向となるプロジェクターに対しても本変形例４のランプ２を適用することができる。
【実施例２】
【００４４】
図８は、本発明の実施例２に係るランプユニット２０の概略断面構成を示す。本実施例２に係るランプユニット２０は、発光部１５に対して前側に副反射鏡２３を有することを特徴とする。上記の実施例１と同一の部分には同一の符号を付し、重複する説明を省略する。
【００４５】
主反射鏡２２は、中心軸ＡＸを中心として楕円を回転させることにより得られる回転楕円面と略同じ形状をなしている。主反射鏡２２は、所望の形状に成形された基材の表面に高反射性部材、例えば誘電体多層膜や金属部材を蒸着させることにより構成されている。なお、主反射鏡２２は、回転楕円面と略同じ形状に限られず、例えば、放物線などの所定の曲線を回線させることにより得られる回転曲面と略同じ形状や、自由曲面形状などとしても良い。
【００４６】
副反射鏡２３は、発光部１５から射出した光を発光部１５へ向けて反射させる。副反射鏡２３は、発光部１５の周囲のうち、発光部１５に対して前側の部分を覆う。副反射鏡２３と発光部１５との間には、隙間が設けられている。副反射鏡２３は、所望の形状に成形された基材の表面に高反射性部材、例えば誘電体多層膜や金属部材を蒸着させることにより構成されている。主反射鏡２２と副反射鏡２３とを設けることにより、発光部１５から射出した光を効率良く前側に向けて進行させることが可能となる。
【００４７】
副反射鏡２３には、実施例１と同様にノズル２４が接続されている。ノズル２４は、副反射鏡２３に対して斜め下方から接続されている。ノズル２４は、途中で屈曲されることで、開放端２４ｂ側が下側に向かって延びている。これにより、ランプユニット２０の着脱方向が上下方向となるプロジェクターに対して、本実施例２のランプユニット２０を適用可能となっている。
【００４８】
このように、発光部１５の前側を覆うように副反射鏡２３が設けられた場合であっても、ノズル２４を接続することで発光部１５の近傍の空気を流動させて発光部１５を十分冷却させることができる。なお、ノズル２４を細く形成することで、ノズル２４がランプユニット２０からの光の妨げになりにくくなり、より効率よく光を取り出すことができる。また、ノズル２４を、開放端２４ｂ側が前側に向けて延びるように形成することで、ランプユニット２０のプロジェクターに対する前後方向の着脱に対応することができる。
【産業上の利用可能性】
【００４９】
以上のように、本発明に係るランプユニットは、プロジェクターに用いる場合に適している。
【図面の簡単な説明】
【００５０】
【図１】本発明の実施例１に係るプロジェクターの概略構成を示す図。
【図２】ランプユニットの概略構成を示す外観斜視図。
【図３】ランプユニットおよび装置側風路の横断面図。
【図４】本実施例１の変形例１に係るランプユニットおよび装置側風路の横断面図。
【図５】本実施例１の変形例２に係るランプユニットの横断面図。
【図６】本実施例１の変形例３に係るランプユニットの横断面図。
【図７】本実施例１の変形例４に係るランプユニットの横断面図。
【図８】本発明の実施例２に係るランプユニットの概略断面構成を示す図。
【符号の説明】
【００５１】
１  プロジェクター、２  ランプユニット、４  装置側風路、４ａ  連結口、５  弾性部材、６  送風ファン（送風手段）、８  光学エンジン、１１  発光管、１２  主反射鏡、１３  副反射鏡、１４  ノズル、１４ａ  接続端、１４ｂ  開放端、１５  発光部、２０  ランプユニット、２２  主反射鏡、２３  副反射鏡、２４  ノズル、２４ｂ  開放端
【図１】
2010177157.tif 000003
【図２】
2010177157.tif 000004
【図３】
2010177157.tif 000005
【図４】
2010177157.tif 000006
【図５】
2010177157.tif 000007
【図６】
2010177157.tif 000008
【図７】
2010177157.tif 000009
【図８】
2010177157.tif 000010